(57)【要約】【課題】頭部にフードを着用した際の当該フード内のオペレーターの環境を、より快適なものとすること。【解決手段】オペレーターの頭部に装着し、オペレーターの頭部を覆う袋状のフードを内側から支持するフード支持具（ヘルメット）２００は、フードによって覆われたオペレーターの前頭部付近に送風する送風手段（送風筒筐体２０２、送風ファン２０３、吸気口２０５、前頭部排気口８０１）と、その送風手段によって送風される風の方向を変更する風向変更部材を制御して、送風手段によって送風される風の方向を調整する風向調整指示部材（風向調整レバー）２０８を備える。風向調整指示部材２０８は、フードの外側から、フード部材ごと把持された状態で調整可能な手動レバーである。これにより、オペレーターは、前頭部付近における風向の調整を容易におこなうことができる。【選択図】図２
2020176340.tif 000002
【特許請求の範囲】
【請求項１】
オペレーターの頭部に装着し、当該オペレーターの頭部を覆う袋状のフード部材を当該フード部材の内側から支持するフード支持具であって、
前記フード部材によって覆われた前記オペレーターの前頭部付近に送風する送風手段と、
前記送風手段によって送風される風の方向を変更する風向変更部材と、
を備えたことを特徴とするフード支持具。
【請求項２】
前記風向変更部材を制御して、前記送風手段によって送風される風の方向を調整する風向調整指示部材を備えたことを特徴とする請求項１に記載のフード支持具。
【請求項３】
前記風向調整指示部材は、前記フード部材の外側から、当該フード部材ごと把持された状態で調整可能な手動レバーであることを特徴とする請求項２に記載のフード支持具。
【請求項４】
オペレーターの頭部に装着し、当該オペレーターの頭部を覆う袋状のフード部材を当該フード部材の内側から支持するフード支持具であって、
前記フード部材によって覆われた前記オペレーターの頭頂部付近に送風する送風手段を備えたことを特徴とするフード支持具。
【請求項５】
オペレーターの頭部に装着し、当該オペレーターの頭部を覆う袋状のフード部材を当該フード部材の内側から支持するフード支持具であって、
前記フード部材に設けられたシールド部材の上部を第１の曲率半径となるように略垂直方向を軸として湾曲させて、当該フード部材の内側から固定する上部固定部材と、
前記シールド部材の下部を第２の曲率半径となるように略垂直方向を軸として湾曲させて、当該フード部材の内側から固定する下部固定部材と、
を備え、
前記第１の曲率半径と前記第２の曲率半径は略同一の曲率半径となる関係性、または、前記第１の曲率半径よりも前記第２の曲率半径が大きくなる関係性を有することを特徴とするフード支持具。
【請求項６】
オペレーターの頭部に装着し、当該オペレーターの頭部を覆う袋状のフード部材を当該フード部材の内側から支持するフード支持具であって、
前記フード部材に設けられた、略矩形の形状のシールド部材の上部を略垂直方向を軸として湾曲させて、当該フード部材の内側から固定する上部固定部材と、
前記シールド部材の下部を略垂直方向を軸として湾曲させて、当該フード部材の内側から固定する下部固定部材と、
を備え、
前記上部固定部材によって固定されたシールドの上部の水平方向の一端から他端までの直線距離をＸ１とし、前記下部固定部材によって固定されたシールドの下部水平方向の一端から他端までの直線距離をＸ２とした場合に、Ｘ１≦Ｘ２の関係性を有することを特徴とするフード支持具。
【請求項７】
前記フード部材によって覆われた前記オペレーターの前頭部付近および頭頂部付近の少なくともいずれか一方に送風する送風手段と、
前記下部固定部材に設けられた、前記送風手段の送風の風量を調整する風量調整指示部材と、
を備えたことを特徴とする請求項５または６に記載のフード支持具。
【請求項８】
前記風量調整指示部材は、前記フード部材の外側から、当該フード部材越しに触れることで形状が把握可能で、当該フード部材越しに操作可能なボタンであることを特徴とする請求項７に記載のフード支持具。
【請求項９】
前記送風手段は、
空気を吸入する吸気口と、
空気を搬送する搬送路と、
空気を排出する排気口と、
前記吸気口から吸入した空気を前記搬送路を通じて前記排気口へ排出する送風装置と、
を有することを特徴とする請求項１〜３、６、７の少なくともいずれか一つに記載のフード支持具。
【発明の詳細な説明】
【技術分野】
【０００１】
この発明は、オペレーターの頭部に装着し、当該オペレーターの頭部を覆う袋状のフードを当該フードの内側から支持するフード支持具に関する。
【背景技術】
【０００２】
一般的に、手術侵襲によって、患者は感染に対する抵抗力が落ちるといわれている。特に、骨は感染に弱く、一旦感染を起こすと、治療は難渋を極めることが多い。患者は、医療従事者の毛髪や汗や呼気、不潔操作によって感染する危険にさらされている。一方で、手術をおこなう術者（オペレーター）においても、患者がどのような菌やウイルスを保有しているかわからず、また、わかったとしても、それを理由に手術から逃避することはできない。したがって、手術中に患者から血液や体液を通じて感染するリスクを常に持っていることになる。
【０００３】
そこで、術者・患者間の感染を防止するために、従来から、いわゆる“宇宙服”のように、頭部には専用のフードを頭に着用し、全身を覆うことで、毛髪や汗の落下を防止し、呼気を回収する手術着が開発されている。これを使用すれば、手術中に、患者からの返り血を術者が直接浴びることもない。術者は、フードに設けられたシールド（透明な窓）越しに患部や計器などを見ることになる。このような手術着は、一般的には、パーソナルプロテクションシステム（Ｐｅｒｓｏｎａｌ  Ｐｒｏｔｅｃｔｉｏｎ  Ｓｙｓｔｅｍ）と呼ばれている。このシステムは、たとえば、人工股関節置換術における感染防止のために用いられることが多い。
【０００４】
関連する技術として、具体的には、たとえば、シールドがヘッドユニットに装着されたとき、シールドの曲率半径は、上下方向の長軸に沿って変化する（シールドの上部の曲率半径は、比較的大きい。ピン間では、シールドは、より小さい曲率半径を有して、より湾曲している）。この構成の利点は、目の高さの近くにおいて、シールドは、それほど湾曲されず、比較的平坦な輪郭を有することによって、眩光を最小限に抑えることを可能とし、また、比較的大きい透明シールドとフードとの間の自由空間が、頭頂の周囲に得られる。これによって、補助機器、たとえば、ヘッドアップディスプレイ、カメラ、他の通信装置、または光源を着用者の頭の周囲に装着するのが容易になるという個人防護システムに関する技術がある（たとえば、下記特許文献１を参照。）。
【０００５】
また、関連する技術として、具体的には、たとえば、ヘルメット・アセンブリの中心合わせのための取り付け装置に取り付けられるように形成された中心合わせ用の取り付け機構を有するフェース・シールドであって、中心合わせ用の取り付け機構がヘルメット・アセンブリの中心合わせのための取り付け装置に取り付けられる際、フェース・シールドがヘルメット・アセンブリの取り付け部材に位置決めされるように、中心合わせ用の取り付け機構がフェース・シールド上に配置されるフェース・シールドとを含むフードに関する技術がある（たとえば、下記特許文献２を参照。）。
【０００６】
また、関連する技術として、具体的には、たとえば、空気をユーザの顔および首の両方に有効に分配させるために、ヘルメット・アセンブリの前部および後部にそれぞれ配置された前側空気出口および後側空気出口がある、ユーザに取り付け可能な対人保護システムに用いられるヘルメット・アセンブリに関する技術がある（たとえば、下記特許文献３を参照。）。
【先行技術文献】
【特許文献】
【０００７】
【特許文献１】特開２０１３−１００６３６号公報
【特許文献２】特開２０１４−１４１７７６号公報
【特許文献３】特開２０１６−３５１３０号公報
【発明の概要】
【発明が解決しようとする課題】
【０００８】
しかしながら、従来の技術にあっては、術者・患者間の感染の防止をより確実なものとすることにより、術者のフード内の環境が犠牲となっている場合が多い。たとえば、フードにより、顔を含む頭部全体が密閉されることによって、温度の上昇、シールドが曇ることによる視界不良、二酸化炭素濃度の上昇などの状況が発生する。これらの状況は、術者に肉体的、精神的なストレスを与えてしまい、高い精度と集中力を要する外科手術においては、その成功率にも影響を与えてしまうおそれがあるという問題点があった。特に、長時間にわたる手術の際には、この問題が顕著となる。
【０００９】
この発明は、上述した従来技術による問題点を解消するため、頭部にフードを着用した際の当該フード内のオペレーターの環境を、より快適なものとすることを目的とする。
【課題を解決するための手段】
【００１０】
上述した課題を解決し、目的を達成するため、この発明にかかるフード支持具は、オペレーターの頭部に装着し、当該オペレーターの頭部を覆う袋状のフード部材を当該フード部材の内側から支持するフード支持具であって、前記フード部材によって覆われた前記オペレーターの前頭部付近に送風する送風手段と、前記送風手段によって送風される風の方向を変更する風向変更部材と、を備えたことを特徴とする。
【００１１】
また、この発明にかかるフード支持具は、上記発明において、前記風向変更部材を制御して、前記送風手段によって送風される風の方向を調整する風向調整指示部材を備えたことを特徴とする。
【００１２】
また、この発明にかかるフード支持具は、上記発明において、前記風向調整指示部材が、前記フード部材の外側から、当該フード部材ごと把持された状態で調整可能な手動レバーであることを特徴とする。
【００１３】
また、この発明にかかるフード支持具は、オペレーターの頭部に装着し、当該オペレーターの頭部を覆う袋状のフード部材を当該フード部材の内側から支持するフード支持具であって、前記フード部材によって覆われた前記オペレーターの頭頂部付近に送風する送風手段を備えたことを特徴とする。
【００１４】
また、この発明にかかるフード支持具は、オペレーターの頭部に装着し、当該オペレーターの頭部を覆う袋状のフード部材を当該フード部材の内側から支持するフード支持具であって、前記フード部材に設けられたシールド部材の上部を第１の曲率半径となるように略垂直方向を軸として湾曲させて、当該フード部材の内側から固定する上部固定部材と、前記シールド部材の下部を第２の曲率半径となるように略垂直方向を軸として湾曲させて、当該フード部材の内側から固定する下部固定部材と、を備え、前記第１の曲率半径と前記第２の曲率半径が略同一の曲率半径となる関係性、または、前記第１の曲率半径よりも前記第２の曲率半径が大きくなる関係性を有することを特徴とする。
【００１５】
また、この発明にかかるフード支持具は、オペレーターの頭部に装着し、当該オペレーターの頭部を覆う袋状のフード部材を当該フード部材の内側から支持するフード支持具であって、前記フード部材に設けられた、略矩形の形状のシールド部材の上部を略垂直方向を軸として湾曲させて、当該フード部材の内側から固定する上部固定部材と、前記シールド部材の下部を略垂直方向を軸として湾曲させて、当該フード部材の内側から固定する下部固定部材と、を備え、前記上部固定部材によって固定されたシールドの上部の水平方向の一端から他端までの直線距離をＸ１とし、前記下部固定部材によって固定されたシールドの下部水平方向の一端から他端までの直線距離をＸ２とした場合に、Ｘ１≦Ｘ２の関係性を有することを特徴とする。
【００１６】
また、この発明にかかるフード支持具は、上記発明において、前記フード部材によって覆われた前記オペレーターの前頭部付近および頭頂部付近の少なくともいずれか一方に送風する送風手段と、前記下部固定部材に設けられた、前記送風手段の送風の風量を調整する風量調整指示部材と、を備えたことを特徴とする。
【００１７】
また、この発明にかかるフード支持具は、上記発明において、前記風量調整指示部材が、前記フード部材の外側から、当該フード部材越しに触れることで形状が把握可能で、当該フード部材越しに操作可能なボタンであることを特徴とする。
【００１８】
また、この発明にかかるフード支持具は、上記発明において、前記送風手段が、空気を吸入する吸気口と、空気を搬送する搬送路と、空気を排出する排気口と、前記吸気口から吸入した空気を前記搬送路を通じて前記排気口へ排出する送風装置と、を有することを特徴とする。
【発明の効果】
【００１９】
この発明にかかるフード支持具によれば、頭部にフードを着用した際の当該フード内のオペレーターの環境を、より快適なものとすることができる。
【図面の簡単な説明】
【００２０】
【図１Ａ】ヘルメットシステムの外観の一例を示す説明図である。
【図１Ｂ】シールドの構成の一例を示す説明図である。
【図２】この発明にかかる実施の形態のフード支持具の構成の一例を示す斜視図である。
【図３】この発明にかかる実施の形態のフード支持具の構成の一例を示す正面図である。
【図４】この発明にかかる実施の形態のフード支持具の構成の一例を示す背面図である。
【図５】この発明にかかる実施の形態のフード支持具の構成の一例を示す右側面図である。
【図６】この発明にかかる実施の形態のフード支持具の構成の一例を示す左側面図である。
【図７】この発明にかかる実施の形態のフード支持具の構成の一例を示す上面図である。
【図８】この発明にかかる実施の形態のフード支持具の構成の一例を示す底面図である。
【図９】風向変更部材の構成の一例を示す説明図である。
【図１０】この発明にかかる実施の形態のフード支持具の術者の装着例の一例を示す説明図である。
【発明を実施するための形態】
【００２１】
以下に添付図面を参照して、この発明にかかるフード支持具の好適な実施の形態を詳細に説明する。
【００２２】
（ヘルメットシステムの外観）
まず、この発明にかかる実施の形態のフード支持具２００を含むヘルメットシステム１００の外観について説明する。図１Ａは、ヘルメットシステムの外観の一例を示す説明図である。
【００２３】
図１Ａにおいて、符号１０１は、オペレーターが頭部に着用するフードであり、符号１０２は、オペレーターが着用するガウンである。オペレーターとは、このヘルメットシステム１００を外科手術をおこなう際に用いる場合は、医師、看護師、その他、手術室などにおいて作業をおこなう医療従事者（以下、「術者」という）である。また、オペレーターは、たとえば、半導体の製造工場などのクリーンルームなどで作業をおこなう担当者などであってもよい。
【００２４】
フード１０１は、開口部を一つだけ備えた袋状の形状をしている。また、フード１０１には、窓部が設けられ、その窓部には、シールド１０３が取り付けられている。このように、いわゆる“宇宙服”あるいは“防護服”のような装備となるのが、ヘルメットシステム１００あるいはパーソナルプロテクションシステムの外観である。術者は、ガウン１０２を着用し、開口部からすっぽりとかぶるようにして、頭部にフード１０１を着用する。これにより、術者は、頭部を完全にフード１０１によって覆われた状態であるにもかかわらず、透明な材質で形成されたシールド１０３を通して、フード１０１の外側の状況、すなわち、手術の対象箇所や各種計器などを含めて、外側を確実に視認することができる。
【００２５】
フード１０１およびガウン１０２の材質は、通気性があり、細菌の侵入を阻止するものである。また、フード１０１およびガウン１０２の材質は、直接、術者に触れることを考慮して、軽くて、柔らかく、肌触りがよいものであるとよい。また、所定の耐久性と柔軟性を備えたものであるとよい。フード１０１およびガウン１０２の材質は、具体的には、たとえば、不織布などを用いることができる。
【００２６】
また、フード１０１およびガウン１０２の材質は、不織布以外の材質（たとえば、布、化学繊維、紙など）であってもよい。フード１０１の材質とガウン１０２の材質とは、同じものであってもよく、それぞれ、異なるものであってもよい。特にフード１０１は、術者が呼吸できるように、通気性がある材質がよいが、ガウン１０２は、通気性を考慮しなくてもよい。
【００２７】
このように、術者は、フード１０１を装着した状態でも、呼吸用の特別な装置を用いなくても、フード１０１を介して自然呼吸をすることは可能である一方、フード１０１を着用することによって、フード１０１内部への細菌の侵入を確実に防ぐことができる。また、術者の呼吸や皮膚からのチリ、毛髪や汗などのフード１０１外への落下を確実に防ぐことができる。
【００２８】
そして、図１Ａにおいては、図示は省略するが、術者がフード１０１を装着するにあたり、術者の頭部に装着し、当該術者の頭部を覆う袋状のフード部材を当該フード部材の内側から支持するフード支持具の一例である専用のヘルメット２００を用いる。このヘルメット２００は、術者の頭部とフード１０１の間において、フード１０１の内側からフード１０１を支持して、シールド１０３がずれることによって、術者の視認性が悪化するのを防ぐものである。また、このヘルメット２００は、フード１０１の着用時のフード１０１内における術者の環境を整える役割を果たすものである。
【００２９】
（シールドの構成）
図１Ｂは、シールドの構成の一例を示す説明図である。図１Ｂは、フード１０１を裏返して、フード１０１の内側からシールド１０３を見た図である。シールド１０３は、透明で、可撓性がある材質、たとえば透明なプラスチック、より具体的には、ポリカーボネート、アクリルまたはポリエチレン・テレフタレート（ＰＥＴ）などを用いることができる。
【００３０】
シールド１０３は、略矩形の形状をしており、角は丸くなっている。シールド１０３は、接着剤によって、または、圧着によって、あるいは、溶接その他の方法により、フード１０１の窓部に固定されている。図１Ｂにおいて、シールド１０３の上側の中央付近には、後述するシールド位置合わせ部材２１０の凸部を挿入する孔部１１１が設けられている。
【００３１】
また、シールド１０３の上側の両端には、上部固定部材（の一例である面ファスナー）１１２が設けられている。また、シールド１０３の下側の両端には、下部固定部材（の一例である面ファスナー）１１３が設けられている。面ファスナーは、面的に着脱できるファスナー（いわゆる“マジックテープ（登録商標）”）であるので、シールド１０３を、後述するシールド上部固定部材２１１に貼り付けたり剥がしたりすることが自在にできる。
【００３２】
（ヘルメットの構成）
つぎに、この発明にかかる実施の形態のフード支持具の一例であるヘルメット２００の構成の一例について、図２〜図１０を用いて説明する。図２は、この発明にかかる実施の形態のフード支持具の構成の一例を示す「斜視図」であり、図３は、同「正面図」であり、図４は、同「背面図」であり、図５は、同「右側面図」であり、図６、は同「左側面図」であり、図７は、同「上面図」であり、図８は、同「底面図」である。また、図９は、風向変更部材の構成の一例を示す説明図であり、図１０は、この発明にかかる実施の形態のフード支持具の術者の装着例の一例を示す説明図である。
【００３３】
（装着機構）
図２〜図８の各図において、ヘルメット２００は、装着バンド２０１を備える。装着バンド２０１は、術者の前頭部から、側頭部を通って、後頭部にわたって、環状、すなわち、いわゆる“はちまき”状に装着するバンドである（図１０を参照）。装着バンド２０１の材質は、具体的には、プラスチック、布、革などを用いることができる。
【００３４】
図８からもわかるように、環状になっている装着バンド２０１は、術者の頭部の形状やサイズに合わせて、その周囲の長さを変更することができる。装着バンド２０１の周囲の長さの調整は、装着バンド調整ハンドル４０１によっておこなうことができる。たとえば、装着バンド２０１と装着バンド調整ハンドル４０１は、図示を省略するが、ラック・アンド・ピニオンの機構を備えており、装着バンド調整ハンドル４０１の回転力を直線の動きに変換する。すなわち、装着バンド２０１は歯切りされ、重ね合わされている。それらと、装着バンド調整ハンドル４０１が備える歯車とをかみ合わせて構成する。より具体的には、たとえば、装着バンド調整ハンドル４０１を時計回りに回動させることによって、装着バンド２０１の周囲の長さを短くすることができる。それとは反対に、装着バンド調整ハンドル４０１を反時計回りに回動させることによって、装着バンド２０１の周囲の長さを長くすることができる。
【００３５】
術者は、ヘルメット２００を装着する際に、装着バンド２０１の周囲の長さをあらかじめ長くしておき、装着バンド２０１を頭部の両耳の上側の周囲に、“はちまき”状に当接させ（図１０を参照）、その後、装着バンド調整ハンドル４０１を時計回りに回動させることによって、装着バンド２０１の周囲の長さを調整する。装着バンド２０１の周囲の長さの調整は、緩すぎて、ヘルメット２００がぐらつかず、かつ、締めすぎて、装着バンド２０１によって頭部を圧迫しすぎない程度におこなうのがよい。
【００３６】
また、術者は、手術中であっても、フード１０１を外すことなく、また、フード１０１内に開口部から手などを挿入することなく、フード１０１の上から、フード１０１ごと、装着バンド調整ハンドル４０１を把持して、いずれかの方向に回動させることによって、装着バンド２０１の周囲の長さを変えることで、ヘルメット２００のかぶり心地を自由に調整することができる。このように、長時間にわたる手術において、連続して装着するヘルメット２００をいつでも自由に調整することができることにより、術者のストレスを解消し、フード１０１内における、より快適な環境を提供することができる。
【００３７】
（送風機構）
つぎに、フード１０１内における送風機構について説明する。図２〜図８の各図において、ヘルメット２００は、送風筒筐体２０２を備える。送風筒筐体２０２は、内部は空洞になっており、空気を搬送する搬送路としての機能を実現する。送風筒筐体２０２は、装着バンド２０１によって固定される。そして、送風筒筐体２０２は、装着バンド２０１を装着した術者の頭部上側において、頭頂部付近から前頭部付近にかけて配置される。送風筒筐体２０２の頭頂部付近には、送風ファン２０３が設けられ、また、送風筒筐体２０２には、その送風ファン２０３をカバーする送風ファンカバー部材２０４が設けられている。送風ファン２０３は、送風装置としての機能を実現する。送風筒筐体２０２および送風ファンカバー部材２０４の材質は、できるだけ軽量で丈夫な素材、たとえばＡＢＳ（Ａｃｒｙｌｏｎｉｔｒｉｌｅ  ｂｕｔａｄｉｅｎｅ  ｓｔｙｒｅｎｅ（アクリロニトリル・ブタジエン・スチレン））樹脂、ポリプロピレン、または、その他のプラスチックなどを用いることができる。
【００３８】
また、符号２０７は、送風ファン２０３へ電源を供給する電源コードである。電源コード２０７は、図示を省略するバッテリー（たとえば乾電池ケース）などに接続して、当該バッテリーからの電源を送風ファン２０３へ供給する。当該バッテリーは、術者の腰や背中などに装着することができる。
【００３９】
送風ファンカバー部材２０４は、図７の上面図からもわかるように、上部側に開口部が設けられ、その開口部が吸気口２０５となる。また、吸気口２０５には、格子状の柵部材２０６が設けられている。この柵部材２０６によって、吸気の際に、フード１０１が、送風ファン２０３に巻き込まれてしまうことを防止することができる。また、この柵部材２０６によって、誤って術者などが、フード１０１を介して、送風ファン２０３を指などで触れてしまうことを防止することができる。回転中の送風ファン２０３にフード１０１や指などが触れてしまうと、高速で回転する送風ファン２０３に挟まれて、思わぬけがをするほか、送風が停止され、さらには、送風ファン２０３あるいは送風ファン２０３に備えられているモーターを破損してしまうおそれがある。柵部材２０６は、頭頂部方向から効率的に吸気できる吸気口２０５としての役割を果たすとともに、高速で回転する送風ファン２０３に対する安全対策のために設けられている。
【００４０】
送風ファン２０３は、図示を省略するモーターが内蔵され、供給された電源によりモーターが回転する。モーターの回転により、送風ファンカバー部材２０４を介して、吸気口２０５から空気を吸い込む。そして、吸い込んだ空気を、送風筒筐体２０２を通して、前頭部排気口８０１方向へ送り出す。送り出された空気は、前頭部排気口８０１から排気される。これによって、術者の前頭部付近での送風を実現する。また、上部側から吸い込んだ空気は、モーターの回転によって、その一部が頭頂部排気口８０３からも排気される。これによって、術者の頭頂部付近での送風を実現する。
【００４１】
図８からもわかるように、頭頂部排気口８０３は、送風ファン２０３の真下に、所定の間隔で４カ所設けられている。頭頂部排気口８０３からは、送風ファン２０３による吸気の勢いのまま、術者の頭頂部へ排気されることになる。また、頭頂部排気口８０３には、ノズルなどを設けて、風速、風量、風向などを調整するようにしてもよい。
【００４２】
図８においては、頭頂部排気口８０３は４つ設けられ、四角形を描くようにそれぞれ各頂点に配置されているが、頭頂部排気口８０３の個数および配置については、これには限定されない。１カ所のみでもよく、また、２または３カ所あるいは５カ所以上設けるようにしてもよく、その配置も、設けられる個数に応じて、自由に定めることができる。また、術者の好みに応じて、設けられた頭頂部排気口８０３の全部または一部を閉塞する蓋部材（図示を省略）を設けるようにしてもよい。
【００４３】
このように、頭頂部から下方向に送風されることにより、頭頂部付近による発汗を効率的に抑制することができる。頭頂部付近における発汗は、頭部に沿って、前頭部側へ流れることが多く、この汗が、術者の目に入ったり、シールド１０３に付着することによって、術者の視認性を悪化させる要因の一つとなっている。フード１０１を装着している状態では、特に目に入った汗を拭うこともできず、肉体的にも精神的にも術者に強いストレスを与えてしまうことになる。頭頂部排気口８０３による頭頂部付近への送風は、これらの問題をより確実に解消することができる。また、頭頂部排気口８０３からの送風は、術者の頭頂部から耳の前後付近を通って、術者の頸部付近まで達する。これにより、頸部付近における発汗を抑制し、頸部付近における清涼感あるいは心地よさを術者に提供することができる。このように、頭頂部付近に頭頂部排気口８０３を設けることにより、術者の頸部付近には、送風が直接的にはあたらずに、間接的にあたるように構成したので、頸部対する送風が優しくなり、直接的に長時間にわたって連続的にあたることによる不快感を抑制することができる。
【００４４】
前頭部排気口８０１は、図８において、左右方向に長い横長の形状の開口部を備えており、排出される空気が、シールド１０３の左右方向あるいは、術者の前頭部の左右方向にわたって噴出されるようになっている。したがって、送風筒筐体２０２も、この前頭部排気口８０１の開口部の形状に合わせて、左右方向に長い扁平形状をしているのがよい。
【００４５】
前頭部排気口８０１には、風向変更部材８０２が設けられている。図９に示すように、風向変更部材８０２は、軸部８１１と、この軸部８１１に設けられた３つの板状部材８１２から構成される。この板状部材８１２の個数は、３つには限定されない。また、軸部８１１には、風向調整レバー２０８が取り付けられている。図９においては、３つの板状部材８１２はすべて同じ角度で軸部８１１に取り付けられているが、それぞれ別々の角度となるように取り付けられていてもよい。また、軸部８１１と板状部材８１２は、一体形成されていてもよい。また、風向調整レバー２０８も含めて一体形成されていてもよい。
【００４６】
図８に示すように、風向変更部材８０２の軸部８１１は、前頭部排気口８０１の左右方向に長い横長の形状の開口部の長手方向に沿って、当該開口部の上下方向における中央付近を軸として回動可能に設けられる。そして、風向調整レバー２０８の動きに応じて、板状部材８１２が、軸部８１１を中心にして回動する。
【００４７】
具体的には、図５において、風向調整レバー２０８を、図５に向かって右側に傾けるように動かすと、その動きに応じて板状部材８１２は、時計回りに、すなわち、板状部材８１２の上部が術者に近づくように、かつ、板状部材８１２の下部が、術者から遠ざかるように動く。このようにすることによって、頭頂部排気口８０３から排出される空気をシールド１０３側へ流すことができる。
【００４８】
反対に、図５において、風向調整レバー２０８を、図５に向かって左側に傾けるように動かすと、その動きに応じて板状部材８１２は、反時計回りに、すなわち、板状部材８１２の上部が術者から遠ざかるように、かつ、板状部材８１２の下部が、術者へ近づくように動く。このようにすることによって、頭頂部排気口８０３から排出される空気を術者側へ流すことができる。
【００４９】
同様に、図５において、風向調整レバー２０８を、略垂直に立てるように動かすと、その動きに応じて板状部材８１２も、その上部と下部が略垂直になる。このようにすることによって、頭頂部排気口８０３から排出される空気をシールド１０３側と術者側との間に流すことができる。
【００５０】
風向調整レバー２０８は、図５における右側端部から左側端部の間（術者にとっては、後ろ側から前側（図７を参照）の間）の所望の角度に調整することができる。より具体的には、術者は、フード１０１を介して、フード１０１ごと風向調整レバー２０８を把持して、その風向調整レバー２０８を動かした後、所望の位置で、風向調整レバー２０８の把持を解放する。軸部８１１は所定のトルクがかかっていることから、当該位置において、風向調整レバー２０８および板状部材８１２の動きが停止した状態を保持することができる。
【００５１】
このように、風向調整レバー２０８は、フード１０１の上から（術者の左手の）指先などで把持して、簡易に操作することができ、また、その動きを容易に阻止して、板状部材８１２を所望の位置に容易に固定することができる。そして、風向調整レバー２０８を頻繁に操作することによって、刻々と変化するフード１０１内の環境に対して、快適な状態をすばやくかつ確実に設定することができる。
【００５２】
このように、風向調整をおこなうことによって、フード１０１内の温度および二酸化炭素濃度の上昇、術者の発汗、術者の呼気によるシールド１０３の曇りを抑制することができる。したがって、フード１０１を着用した状態が長時間にわたって継続しても、術者は、より呼吸がしやすく、かつ、自らの呼気による視界不良によるイライラや、圧迫感や閉塞感などの精神的なストレスをより軽減することができる。
【００５３】
（シールド固定機構）
つぎに、シールド１０３を固定するシールド固定機構について説明する。図２において、送風筒筐体２０２の前頭部側の先端には、上部シールド支持部材２０９が設けられている。上部シールド支持部材２０９は、装着バンド２０１の前頭部の位置から水平方向に所定距離だけ離れた位置に形成される。これにより、術者の顔とシールド１０３との距離を確実に確保することができる。上部シールド支持部材２０９は、フード１０１を着用した際に、シールド１０３の上側をヘルメット２００に固定することができる。上部シールド支持部材２０９は、図７および図８などからもわかるように、シールド１０３の上部が接触する部分は、略垂直方向を軸として曲線形状をしている。上部シールド支持部材２０９の材質は、できるだけ軽量で丈夫な素材、たとえばプラスチック、より具体的には、ポリカーボネート、アクリルまたはポリエチレン・テレフタレート（ＰＥＴ）などを用いることができる。
【００５４】
また、上部シールド支持部材２０９には、その中央付近に、シールド位置合わせ部材２１０を設けている。このシールド位置合わせ部材２１０は，上向きに突出した凸部の形状をしている。フード１０１を着用する際には、この凸部の部分を、図１Ｂに示したシールド１０３の上側に設けられた孔部１１１に挿入する。これにより、ヘルメット２００に対するシールド１０３の位置決めをすることができる。そして、図１Ｂに示したように、フード１００を裏返した状態で、シールド１０３を、上部シールド支持部材２０９の曲線形状の部分に沿って湾曲させ、上部シールド支持部材２０９の曲線形状の表面の両端部に設けられているシールド上部固定部材（の一例である面ファスナー）２１１に、シールド１０３の上部固定部材（面ファスナー）１１２を貼り付けて固定する。
【００５５】
また、装着バンド２０１には、術者の顎部分の周辺に至る下部シールド支持部材２１２が設けられている。下部シールド支持部材２１２は、フード１０１を着用した際に、シールド１０３の下側をヘルメット２００に固定する。下部シールド支持部材２１２は、図７および図８などからもわかるように、シールド１０３の下部が接触する部分は、シールド１０３の上部と同様に、略垂直方向を軸として曲線形状をしている。下部シールド支持部材２１２の材質は、できるだけ軽量で丈夫な素材、たとえばプラスチック、より具体的には、ポリカーボネート、アクリルまたはポリエチレン・テレフタレート（ＰＥＴ）などを用いることができる。また、外部からの衝撃を吸収できるように、可撓性を有する材質であればなおよい。このようにすることによって、ぶつかった際に、下部シールド支持部材２１２が容易に破損してしまうことを回避することができる。
【００５６】
上部シールド支持部材２０９に沿って湾曲に固定されたシールド１０３を、下部シールド支持部材２１２の曲線形状の部分に沿って湾曲させ、下部シールド支持部材２１２の曲線形状の表面に設けられているシールド下部固定部材（の一例である面ファスナー）２１３に、シールド１０３の下部固定部材（面ファスナー）１１３を貼り付けて固定する。シールド下部固定部材２１３と下部固定部材１１３は、面ファスナーによって構成されているため、シールド上部固定部材２１１と同様に、シールド１０３をシールド下部固定部材２１３に貼り付けたり剥がしたりすることが自在にできる。また、シールド下部固定部材２１３の取り付け位置、形状および個数については、シールド１０３の寸法や形状によって、適宜、調整することができる。これにより、専用のフードだけでなく、さまざまな種類の市販のフードを用いることもできる。
【００５７】
ここで、上部シールド支持部材２０９とシールド上部固定部材２１１とを用いることにより、シールド１０３の上部を、第１の曲率半径となるように略垂直方向を軸として湾曲させて固定することができる。また、下部シールド支持部材２１２とシールド下部固定部材２１３とを用いることにより、シールド１０３の下部を、第２の曲率半径となるように略垂直方向を軸として湾曲させて固定する。
【００５８】
そして、この第１の曲率半径と第２の曲率半径とは、略同一の曲率半径となる関係性を有するようにする。この場合に、シールド１０３は、可撓性がある材質であることから、上部側と下部側で、略同一の弧を描いて固定される。したがって、シールド１０３の上部側と下部側で歪みがなく、略同一の曲率で湾曲した状態で固定される。これにより、術者は、シールド１０３を通した視界において、視認性をより向上させることができる。
【００５９】
また、第１の曲率半径と第２の曲率半径とは、第１の曲率半径よりも第２の曲率半径が大きくなる関係性を有するようにしてもよい。この場合に、シールド１０３は、可撓性がある材質であることから、上部側に対して下部側では、より大きな曲率の弧を描いて湾曲した状態で固定される。これにより、術者の口あるいは鼻付近の領域がより広く確保されることになり、術者の呼気によるシールド１０３の曇り、および、口あるいは鼻付近の二酸化炭素濃度の上昇を抑制することができる。したがって、より呼吸がしやすく、かつ、自らの呼気による視界不良によるイライラや、圧迫感や閉塞感などの精神的なストレスをより軽減することができる。また、フード１０１を着用することによって、声が外部へ届きづらくなることを解消するために使用する、図示を省略するマイクロフォンなどを口元付近に装着する際の領域を確保することができる。
【００６０】
また、たとえば、シールド１０３が、図１Ｂに示すように、略矩形の形状である場合には、上部シールド支持部材２０９およびシールド上部固定部材２１１によって固定されたシールド１０３の上部の水平方向の一端（図７、図８に示したＡ点）から他端（図７、図８に示したＢ点）までの直線距離、すなわち、シールド１０３の上部において形成される弧に対する弦の長さをＸ１とし、下部シールド支持部材２１２および下部固定部材１１３によって固定されたシールド１０３の下部水平方向の一端（図７、図８に示したＣ点）から他端（図７、図８に示したＤ点）までの直線距離すなわち、シールド１０３の下部において形成される弧に対する弦の長さをＸ２とした場合に、Ｘ１≦Ｘ２の関係性を有するものであってもよい。
【００６１】
上部シールド支持部材２０９および下部シールド支持部材２１２のシールド１０３が接する部分の曲面は、円弧を描くように形成されていてもよく、また、扁平、すなわち、曲率が途中で変わるように形成されていてもよい。図８において、上部シールド支持部材２０９においては、シールド１０３が接する部分の曲面は、略円弧を描いているのに対して、下部シールド支持部材２１２は、シールド１０３が接する部分の曲面は、両側に比べて中央部分の曲率が小さくなっている（直線に近い状態になっている）。
【００６２】
このように、上部シールド支持部材２０９と下部シールド支持部材２１２とで、上部側または底部側から見た場合に、同じ形状となっていてもよく、図８に示すように、異なる形状となっていてもよい。いずれにせよ、上述したように、Ｘ１≦Ｘ２の関係性を備えていればよい。これにより、術者の口あるいは鼻付近の領域をより広く確保することができるものである。
【００６３】
また、面ファスナーを用いてシールド１０３をヘルメット２００に固定するようにしたが、固定方法はこれには限定されない。たとえば、上部シールド支持部材２０９および下部シールド支持部材２１２に、図示を省略するフック部材などを設け、かつ、シールド１０３の所定箇所に孔部（図示省略）を設けることによって、当該孔部を当該フック部材に引っ掛けるようにして固定してもよい。また、図４に示すように、下部シールド支持部材２１２の内側、すなわち、術者の顔側にシールド下部固定部材（磁石）４０２を設け、シールド１０３側には、図示は省略するが、磁気に反応する材質（鉄など）を設けることによって、磁力を用いて、シールド１０３をヘルメット２００に固定するようにしてもよい。このように、上述のように、Ｘ１≦Ｘ２の関係性を備えていれば、シールド１０３の固定方法は、どのようなものであってもよい。
【００６４】
このように、術者の顔面との距離を考慮した、術者にとってより快適な位置にシールド１０３を固定することができる。
【００６５】
（風量調整機構）
つぎに、風量調整機構について説明する。図４に示すように、下部シールド支持部材２１２の内側、すなわち、下部シールド支持部材２１２における下側部分であって、術者の顔側の中央付近に、風量調整支持部材の一例である、オン／オフボタン４０３および風量調整ボタン４０４が設けられている。オン／オフボタン４０３は、送風の入り切り、すなわち、送風ファン２０３のモーターの電源のオン／オフを制御する。このオン／オフボタン４０３を一度押下すると、送風ファン２０３が回転して送風が開始され、送風ファン２０３が回転している状態で、オン／オフボタン４０３をもう一度押下すると、送風ファン２０３の回転が停止して送風が止まる。
【００６６】
風量調整ボタン４０４は、２つのボタンから構成される。図４において、向かって右側のボタンは、風量増ボタンであり、向かって左側のボタンは、風量減ボタンである。これらの２つの風量調整ボタン４０４によって、送風ファン２０３のモーターの電流量を制御し、それによって、送風ファン２０３の回転速度を調整し、送風量を変化させることができる。具体的には、たとえば、風量増ボタンを押下すると、モーターの電流量が増加し、それにより、モーターの回転数が増加し、送風ファン２０３によって送風される風量が増加する。一方、風量減ボタンを押下すると、モーターの電流量が減少し、それにより、モーターの回転数が減少し、送風ファン２０３によって送風される風量が減少する。
【００６７】
これらのボタン４０３、４０４は、術者がフード１０１を着用した状態で、フード１０１の外側から、当該フード部材越しに操作（押下）することが可能である。具体的には、術者は、フード１０１越しに、下部シールド支持部材２１２の下側部分を人差し指と親指で挟むようにすると、自然と親指がボタン４０３、４０４に触れることになる。その状態で、いずれかのボタン４０３、４０４を親指で押下することによって、術者は、これらのボタン操作を容易におこなうことができる。
【００６８】
また、風量増ボタンは、ボタンの突部が、『＋』（プラス）の形状をしている。一方、風量減ボタンは、ボタンの突部が、『−』（マイナス）の形状をしている。また、オン／オフボタン４０３は円形の形状をしている。したがって、術者は、どれが風量増ボタンでどれが風量減ボタンで、どれがオン／オフボタン４０３かを覚えておく必要がない。すなわち、術者は、フード１０１を着用した状態で、フード１０１の外側から、当該フード１０１越しに、ボタン４０３、４０４に触れることで、指の腹でボタンの突部の形状をなぞり、その感覚で、各ボタン４０３、４０４を目視することなく、形状を把握可能であり、どのボタンが所望のボタンであるかを直感的に識別することが可能である。
【００６９】
術者は、風量を増加させたい場合は、プラス形状のボタン（向かって一番右のボタン）を、一方、風量を減少させたい場合は、マイナス形状のボタンを押下すればよい。また、送風を停止したい場合は、オン／オフボタン４０３（向かって一番左のボタン）を押下すればよい。このように構成することによって、ボタンの誤操作を減少させることができる。また、ボタンを押し間違えて、術者の意に反する風量となってしまうことで、一時的にでもフード１０１内の術者の環境を悪化させ、それにより、術者に不快感を与えなくて済む。
【００７０】
このように、刻々と変化するフード１０１内の環境に柔軟にかつ即座に対応することができるように、操作ボタンの配置および形状について考慮している。したがって、術者は、手術中であっても、フード１０１を外すことなく、また、フード１０１内に開口部から手などを挿入することなく、フード１０１の上から、ボタンを確実に押下することができる。これにより、フード１０１内の術者の環境を、常に、より快適なものとすることができる。
【００７１】
なお、オン／オフボタン４０３を、他の機器（たとえば、図示を省略する、ヘルメット２００に装着するＬＥＤライトなど）のオン／オフの制御に用いることができる。この場合に、風量調整ボタン４０４を、送風ファン２０３のオン／オフの制御に用いるようにしてもよい。すなわち、風量調整ボタン４０４のプラス形状のボタンを押下すると、送風ファン２０３が送風を開始し、送風時に、マイナス形状のボタンを押下すると、送風ファン２０３が送風を停止するようにしてもよい。さらに、送風時に、プラス形状のボタンを押下すると、風量が増加し、送風時に、マイナス形状のボタンを押下すると、風量が減少し、また、マイナス形状のボタンを所定秒以上長押しすると、送風を停止するようにしてもよい。
【００７２】
いずれにせよ、術者は、送風を強めたい場合には、プラス形状のボタンを押下し、送風を弱めたいあるいは止めたい場合には、マイナス形状のボタンを押下すればよい。すなわち、術者は、風量調整ボタン４０４の『＋』（プラス）と『−』（マイナス）の各形状を指の腹で感覚的に把握し、それらの形状が示す意味内容（『＋』＝風量増、『−』＝送風減）を直感的に理解し、それを指の腹で押下することで、より迅速にかつより正確に、ストレスなく、フード１０１内の送風調整をおこなうことができる。
【００７３】
以上説明したように、この発明にかかる実施の形態のフード支持具の一例であるヘルメット２００は、オペレーターの頭部に装着し、当該オペレーターの頭部を覆う袋状のフード１０１をフード１０１の内側から支持するにあたり、フード１０１によって覆われたオペレーターの前頭部付近に送風する送風手段（送風筒筐体２０２、送風ファン２０３、吸気口２０５、前頭部排気口８０１）と、送風手段によって送風される風の方向を変更する風向変更部材８０２と、を備えるので、刻々と変化するフード１０１内の環境において、送風される風の風向を最適な状態に保つことができ、フード１０１内の温度および二酸化炭素濃度の上昇、発汗、シールド１０３の曇りを適切に抑制することができる。これにより、頭部にフードを着用した際のフード１０１内のオペレーターの環境を、より快適なものとすることができる。
【００７４】
また、この発明にかかる実施の形態のヘルメット２００は、風向変更部材８０２を制御して、送風手段（送風筒筐体２０２、送風ファン２０３、吸気口２０５、前頭部排気口８０１）によって送風される風の方向を調整する風向調整レバー２０８を備えるので、オペレーターが各自の感覚に基づいて自由に風向を調整することができる。
【００７５】
また、この発明にかかる実施の形態のヘルメット２００は、風向調整レバー２０８が、フード１０１の外側から、フード１０１ごと把持された状態で調整可能な手動レバーであるので、オペレーターがフード１０１を装着した状態で、送風される風の方向を容易に変更することができる。
【００７６】
また、この発明にかかる実施の形態のフード支持具の一例であるヘルメット２００は、オペレーターの頭部に装着し、当該オペレーターの頭部を覆う袋状のフード１０１をフード１０１の内側から支持するにあたり、フード１０１によって覆われたオペレーターの頭頂部付近に送風する送風手段（送風筒筐体２０２、送風ファン２０３、吸気口２０５、頭頂部排気口８０３）を備えるので、頭頂部付近を適切に空冷することができ、頭頂部付近における発汗を効果的に抑制することができる。
【００７７】
また、この発明にかかる実施の形態のフード支持具の一例であるヘルメット２００は、オペレーターの頭部に装着し、当該オペレーターの頭部を覆う袋状のフード１０１をフード１０１の内側から支持するにあたり、フード１０１に設けられたシールド１０３の上部を第１の曲率半径となるように略垂直方向を軸として湾曲させて、フード１０１の内側から固定する上部シールド支持部材２０９・シールド上部固定部材（面ファスナー）２１１と、シールド１０３の下部を第２の曲率半径となるように略垂直方向を軸として湾曲させて、当該フード部材の内側から固定する下部シールド支持部材２１２・シールド下部固定部材（面ファスナー）２１３と、を備え、第１の曲率半径と第２の曲率半径が略同一の曲率半径となる関係性、または、第１の曲率半径よりも第２の曲率半径が大きくなる関係性を有するので、オペレーターの鼻や口付近における空間領域を適切に確保することができる。
【００７８】
また、この発明にかかる実施の形態のフード支持具の一例であるヘルメット２００は、オペレーターの頭部に装着し、当該オペレーターの頭部を覆う袋状のフード１０１をフード１０１の内側から支持するにあたり、フード１０１に設けられた、略矩形の形状のシールド１０３の上部を略垂直方向を軸として湾曲させて、フード１０１の内側から固定する上部シールド支持部材２０９・シールド上部固定部材（面ファスナー）２１１と、シールド１０３の下部を略垂直方向を軸として湾曲させて、フード１０１の内側から固定する下部シールド支持部材２１２・シールド下部固定部材（面ファスナー）２１３と、を備え、上部シールド支持部材２０９・シールド上部固定部材２１１によって固定されたシールドの上部の水平方向の一端から他端までの直線距離をＸ１とし、下部シールド支持部材２１２・シールド下部固定部材２１３によって固定されたシールドの下部水平方向の一端から他端までの直線距離をＸ２とした場合に、Ｘ１≦Ｘ２の関係性を有するので、同様に、オペレーターの鼻や口付近における空間領域を適切に確保することができる。
【００７９】
また、この発明にかかる実施の形態のヘルメット２００は、フード１０１によって覆われたオペレーターの前頭部付近および頭頂部付近の少なくともいずれか一方に送風する送風手段（送風筒筐体２０２、送風ファン２０３、吸気口２０５、前頭部排気口８０１、頭頂部排気口８０３）と、下部シールド支持部材２１２に設けられた、送風手段の送風の風量を調整する風量調整指示部材（オン／オフボタン４０３、風量調整ボタン４０４）と、を備えるので、フード１０１内の送風の風量を適切なものとし、フード１０１内の環境を、より快適なものとすることができる。
【００８０】
また、この発明にかかる実施の形態のヘルメット２００は、前記風量調整指示部材が、前記フード部材の外側から、当該フード部材越しに触れることで形状が把握可能で、当該フード部材越しに操作可能なボタンであるので、フード１０１を着用した状態で、容易に風量の調整をすることができる。
【００８１】
また、この発明にかかる実施の形態のヘルメット２００は、送風手段が、空気を吸入する吸気口２０５と、空気を搬送する搬送路（送風筒筐体）２０２と、空気を排出する排気口（前頭部排気口８０１、頭頂部排気口８０３）と、吸気口２０５から吸入した空気を搬送路２０２を通じて排気口へ排出する送風装置（送風ファン）２０３と、を有するので、より簡易な構成により、フード１０１内の適切な位置へ送風することが可能となる。
【産業上の利用可能性】
【００８２】
以上のように、この発明にかかるフード支持具は、オペレーターの頭部に装着し、当該オペレーターの頭部を覆う袋状のフード部材を当該フード部材の内側から支持するフード支持具であり、特に、頭部にフードを着用した際の当該フード内のオペレーターの環境を、より快適なものとすることができるフード支持具に適している。
【符号の説明】
【００８３】
１００  ヘルメットシステム
１０１  フード
１０２  ガウン
１０３  シールド
１１１  孔部
１１２  上部固定部材（面ファスナー）
１１３  下部固定部材（面ファスナー）
２００  フード指示具（ヘルメット）
２０１  装着バンド
２０２  搬送路（送風筒筐体）
２０３  送風装置（送風ファン）
２０４  送風ファンカバー部材
２０５  吸気口
２０６  柵部材
２０７  電源コード
２０８  風向調整指示部材（風向調整レバー）
２０９  上部シールド支持部材
２１０  シールド位置合わせ部材
２１１  シールド上部固定部材（面ファスナー）
２１２  下部シールド支持部材
２１３  シールド下部固定部材（面ファスナー）
４０１  装着バンド調整ハンドル
４０２  シールド下部固定部材（磁石）
４０３  オン／オフボタン
４０４  風量調整ボタン
８０１  前頭部排気口
８０２  風向変更部材
８０３  頭頂部排気口
８１１  軸部
８１２  板状部材
【図１Ａ】
2020176340.tif 000003
【図１Ｂ】
2020176340.tif 000004
【図２】
2020176340.tif 000005
【図３】
2020176340.tif 000006
【図４】
2020176340.tif 000007
【図５】
2020176340.tif 000008
【図６】
2020176340.tif 000009
【図７】
2020176340.tif 000010
【図８】
2020176340.tif 000011
【図９】
2020176340.tif 000012
【図１０】
2020176340.tif 000013